(57)【特許請求の範囲】
【請求項１】
螺合により結合可能な２つのハウジング部分（３，２）の、権限のない回動による弛緩を防止する、ダイヤフラム弁（１）用の固定エレメント（２６）であって、ダイヤフラム弁（１）のハウジングは、ハウジング上側部分（２）とハウジング下側部分（３）とから成っており、固定エレメント（２６）は、ダイヤフラム弁（１）のハウジング下側部分（３）内においてクランプされかつハウジング上側部分（２）の外側ハウジング（１３）と共働するように、配置されており、
固定エレメント（２６）は、２つの領域から成っていて、第１の領域は、外側を向いた歯列（２８，２９）を備えたばね弾性的な領域（２７）であり、
外側ハウジング（１３）は、固定エレメント（２６）の歯列（２８，２９）と共働する、内側を向いた別の歯列を有しており、
固定エレメント（２６）の第２の領域は、ハウジング下側部分（３）における切欠きに嵌め込まれる肩部（３１，３２）を備えていることを特徴とする、回動による弛緩を防止する固定エレメント。
【請求項２】
固定エレメント（２６）の歯列（２８，２９）は、異なった２つの歯面角度を有していて、ハウジング部分（２，３）の弛緩方向における回動に対する抵抗が緊締方向における回動に対する抵抗に比べて大きくなっている、請求項１記載の固定エレメント。
【発明の詳細な説明】
【技術分野】
【０００１】
本発明は、螺合により結合可能な少なくとも２つのハウジング部分の、回動による弛緩を防止する固定エレメントに関する。
【０００２】
管路構造においては、種々様々なハウジング部分が互いに螺合によって結合される。例えばダイヤフラム弁では、ダイヤフラムは、互いに螺合可能な２つのハウジング部分の間において固定される。両ハウジング部分は、ダイヤフラムを交換するために、運転時間の経過において開放され得るようになっていなくてはならない。ダイヤフラムのクランプもしくは張りが低下した場合に、両ハウジング部分は互いに締め直すことができなくてはならない。ダイヤフラム弁の運転中に、両ハウジング部分は該ハウジング部分の回動による弛緩を防止されていることが望まれている。
【０００３】
ゆえに本発明の課題は、ハウジング部分内に可能な限り一体的にかつ外から見えないように配置された、権限のない回動による弛緩を防止する固定エレメントを提供することである。
【０００４】
この課題を解決するために本発明の構成では、螺合により結合可能な少なくとも２つのハウジング部分の、回動による弛緩を防止する固定エレメントにおいて、固定エレメントは、前記ハウジング部分のうちの１つのハウジング部分内においてクランプされかつ他のハウジング部分と共働するように、配置されているようにした。
【０００５】
本発明の別の有利な構成は、従属請求項に記載されている。
【０００６】
本発明による固定エレメントには、ダイヤフラム弁が、権限のない分解に対して保護されているという利点がある。このことは、ハウジング下側部分内に固定エレメントがクランプされて配置されていることによって、得られる。固定エレメントはハウジング下側部分とハウジング上側部分の外側ハウジングとの間に配置されており、固定エレメントは、外側を向いた歯列を備えたばね弾性的な領域を有している。外側ハウジングは、固定エレメントの歯列と共働する、内側を向いた別の歯列を有しており、この場合歯列は、異なった２つの歯面角度を有していて、ハウジング部分の弛緩方向における回動に対する抵抗が緊締方向における回動に対する抵抗に比べて大きくなっている。
【０００７】
次に図面を参照しながら本発明の１実施形態を説明する。
【図面の簡単な説明】
【０００８】
【図１】ダイヤフラム弁の弁ハウジングを示す側面図である。
【図２】ダイヤフラム弁の固定エレメントを示す斜視図である。
【図３】固定エレメントを備えた弁ハウジングを断面して示す図である。
【図４】図３に示した弁ハウジングの、固定エレメントを備えた領域を拡大して示す図である。
【図５】図４と比較可能な拡大図であって、弁ハウジングが回動によってまとめられた状態を示す図である。
【０００９】
図１には、ダイヤフラム弁１のハウジング上側部分２の外側ハウジング１３とハウジング下側部分３とが側面図で示されている。ハウジング下側部分３には固定エレメント２６が、正確にかつ回動を防止されて挟み込まれている。固定エレメント２６は、段部３０の領域に配置されており、この段部３０はハウジング下側部分３において螺合による結合時に、外側ハウジング１３の下縁部に対するストッパとして働く。固定エレメント２６の正確な嵌合及び回動不能な配置は、２つの肩部３１，３２の形成によって達成され、この両肩部３１，３２は、該肩部と合致するハウジング下側部分３の切欠き内に、嵌め込まれる。固定エレメント２６は必要な場合に交換することができる。図１においてダイヤフラム弁１は、螺合により完全に結合されてまとめられた状態で示されている。
【００１０】
図２には固定エレメント２６が単独で斜視図で示されている。固定エレメント２６はばね弾性的な領域２７を有しており、このばね弾性的な領域２７は、ダイヤフラム弁１のスピンドル軸線に対して平行に配置されていて、スピンドル軸線に対して垂直な方向で弾発することができる。固定エレメント２６は、外側を向いた歯面２８，２９を有しており、これらの歯面２８，２９は、ハウジング上側部分２の外側ハウジング１３の周囲において内側面に設けられた、内側を向いた歯面（図示せず）と、互いに相補形状をもって形成されて互いに共働するようになっている。歯面２８，２９は著しく異なった歯面角度を有している。これによって、螺合結合を解離するために使われる力は、螺合結合のために必要な力よりも著しく大きくなる。ばね弾性的な領域２７は、外側ハウジング１３の内部に配置されていて、螺合によってまとめられた状態ではダイヤフラム弁１の外側からはまったく又はほとんど見えない。
【００１１】
図３には固定エレメント２６が、ハウジング下側部分３及びハウジング上側部分２の外側ハウジング１３と一緒に断面図で示されている。図３には、ダイヤフラム弁１のハウジング上側部分２とハウジング下側部分３とが螺合によって結合される過程の開始時における状態が示されている。ハウジング上側部分２とハウジング下側部分３との螺合は、ダイヤフラムの変形が増大した場合に、締め直すことができる。固定エレメント２６によって、ダイヤフラム弁１の権限のない開放又は螺合部を弛めることは阻止される。
【００１２】
図４及び図５には、螺合部が拡大して示されている。図４には図３の破線で示された部分の拡大図であって、螺合開始時における状態を示す図であり、図５は螺合が終了して上下のハウジングがまとめられた場合における状態が示されている。
【００１３】
閉鎖力を高めるために、弁ハウジングの周囲に複数の固定エレメント２６が分配配置されている構成も可能である。固定エレメント２６は、ダイヤフラム弁１とは異なった弁構造形式のためにも使用可能であり、又は例えばキャップナットのような、管路系の他のエレメントのためにも使用可能であり、この場合２つのハウジング部分が互いに螺合によって結合され、かつ権限のない回動による弛緩は防止されねばならない。
【図１】
0005854990.tif 000002
【図２】
0005854990.tif 000003
【図３】
0005854990.tif 000004
【図４】
0005854990.tif 000005
【図５】
0005854990.tif 000006